【事件の表示】
　特願２００５−　９１８３２号「ディスプレイ用光学フィルター」拒絶査定不服審判事件〔平成１８年１０月１２日出願公開、特開２００６−２７６２０８号〕について、次のとおり審決する。
【結　論】
　本件審判の請求は、成り立たない。
【理　由】
１．手続の経緯
　本願は、平成１７年３月２８日の出願であって、平成２３年４月１日付けで手続補正がなされた後、同年１１月２日付けで拒絶査定がなされ、これに対して、平成２４年１月１１日に拒絶査定不服審判の請求がなされ、同時に手続補正がなされたものである。
　
２．平成２４年１月１１日付け手続補正（以下「本件補正」という。）についての補正の却下の決定
　
［補正の却下の決定の結論］
　平成２４年１月１１日付けの手続補正を却下する。
［理由］
（１）本件補正後の本願発明
　本件補正により、特許請求の範囲の請求項１は、
「ディスプレイの前面に設けられるディスプレイ用光学フィルターにおいて、
　該フィルターの構成層中に、電磁波シールド層と、黒色顔料からなる光吸収材が透明樹脂層および／または透明粘着剤層中に分散されてなる光吸収材分散層とを有し、
　前記光吸収材は、カーボンブラック、黒鉛、アニリンブラック、シアニンブラック、チタンブラック、黒色酸化鉄、酸化クロム、酸化マンガンからなる群より選択される一種又は二種以上の黒色顔料からなり、
　前記光吸収材分散層は、ディスプレイ用光学フィルターの視覚側の最外層と電磁波シールド層との間に積層され、視覚側へ戻る光およびディスプレイからの出力光が前記光吸収材分散層を通過することを特徴とするディスプレイ用光学フィルター。」
と補正された。
　
　本件補正は、本件補正前の請求項１に記載した発明を特定するために必要な事項である「光吸収材分散層」について「光吸収材分散層は、ディスプレイ用光学フィルターの視覚側の最外層と電磁波シールド層との間に積層され、視覚側へ戻る光およびディスプレイからの出力光が前記光吸収材分散層を通過する」と限定するものであり、この補正は、平成１８年法律第５５号改正附則第３条第１項によりなお従前の例によるとされる同法による改正前の特許法第１７条の２（以下単に「特許法第１７条の２」という。）第４項第２号に規定する特許請求の範囲の減縮を目的とする補正に該当する。
　そこで、本件補正後の請求項１に係る発明（以下「本願補正発明」という。）が、特許出願の際独立して特許を受けることができるものであるか（特許法第１７条の２第５項において準用する同法第１２６条第５項の規定に違反しないか）について検討する。
　
（２）引用例
　当審において新たに発見した本願の出願前に頒布された刊行物である特開２００２−３１１８４３号公報（以下「引用例１」という。）には、以下の技術事項が記載されている。（後述する引用発明１の認定に関連する箇所に下線を付した。）
　
記載事項ア． 
「【請求項３】透明なフィルム基材の一面に、金属薄膜からなるメッシュを、接着剤又は粘着剤を介して積層し、前記金属薄膜からなるメッシュの凹凸面を平坦化する層を積層した電磁波遮蔽用部材において、前記平坦化層又は、透明なフィルム基材の少なくとも一面に、接着剤又は粘着剤を積層した電磁波遮蔽用部材において、前記平坦化層、接着剤又は粘着剤の少なくとも１つに、可視光及び／又は近赤外の特定の波長を吸収する吸収剤が含有されている電磁波遮蔽用部材。」
　
記載事項イ．
「【０００７】このように、各電磁波遮蔽板にはそれぞれ得失があり、用途に応じて選択して用いられている。中でも、透明なガラスやプラスチック基板面に金属薄膜からなるメッシュを形成した電磁波遮蔽板は、電磁波シールド性、光透過性の面では良好で、近年プラズマディスプレイパネル等のディスプレイ用パネルの前面に置いて、電磁波シールド用として用いられるようになってきた。……（略）……」
記載事項ウ．
「【００１１】
【課題を解決するための手段】本発明の課題を解決するための手段である、電磁波遮蔽用部材とディスプレイについて、以下に、図面と共に、説明する。
図７は、本発明の電磁波遮蔽用部材の層構成の一例を示した断面図である。図８は、本発明の電磁波遮蔽用部材の層構成の別の一例を示した断面図である。図９は、本発明の電磁波遮蔽用部材を積層したディスプレイの一例を示した模式的な断面図である。
（１）透明なフィルム基材の一面に、金属薄膜からなるメッシュを、可視光及び／又は近赤外の特定の波長を吸収する吸収剤が含有されている接着剤又は粘着剤を介して、積層したことを特徴とするものである。……（略）……
可視光をを吸収する吸収剤とは、後記する金属の吸収剤と顔料の吸収剤である。
（２）……（略）……
（３）
透明なフィルム基材４の一面に、金属薄膜からなるメッシュ５を、接着剤又は粘着剤を介して積層し、前記金属薄膜からなるメッシュ５の凹凸面を平坦化する層を積層した電磁波遮蔽用部材において、前記平坦化層６、１３又は、透明なフィルム基材４の少なくとも一面に、接着剤又は粘着剤３、１２、１４を積層した電磁波遮蔽用部材において、前記平坦化層、接着剤又は粘着剤の少なくとも１つに、可視光及び／又は近赤外の特定の波長を吸収する吸収剤８が含有されていることを特徴とするものである。（図７乃至図９）
但し、ここで、透明なフィルム基材４の一面に、金属薄膜からなるメッシュ５を、接着剤又は粘着剤を介さずに、直接積層しても良い。（図７乃至図９）
【００１２】（４）……（略）……
（５）上記（１）、（２）、（３）又は（４）の電磁波遮蔽用部材と、可視光吸収層及び又は近赤外線吸収層を積層してなる電磁波遮蔽用部材。
（可視光吸収層）可視光域（３８０〜７８０ｎｍ）の吸収層は、ディスプレイの色バランスをとる、或いは外光の光を吸収し、コントラストを向上する目的で設けられる。
顔料の吸収剤としては、公知の顔料を使用することができる。具体的には、
アニリンブラック系、
カーボンブラック系等の有機顔料、
酸化クロム系、
等が挙げられる。
（６）上記（１）、（２）、（３）、（４）又は（５）の電磁波遮蔽用部材と、
反射防止層及び又は防眩層１、７
（７）上記（１）、（２）、（３）、（４）、（５）又は（６）の電磁波遮蔽用部材と、
ガラス又はアクリル製の透明基板２
（８）上記（１）、（２）、（３）、（４）、（５）、（６）又は（７）の電磁波遮蔽用部材を、ディスプレイの表面に直接積層してなるディスプレイ３０。（図９）」
　
記載事項エ．
「【００３０】……（略）……
このような平坦化する樹脂としては、透明性が高く、
平坦化樹脂層
　
記載事項オ．
「【００３５】
（接着剤）本発明において、接着剤としては、特に限定されないが、アクリル樹脂、
が好ましい。
　
記載事項カ．
「【００６７】
【発明の効果】
本発明の電磁波遮蔽用部材及びこの電磁波遮蔽用部材を、ディスプレイの表面に直接積層してなるディスプレイにおいては、透視性と電磁波遮蔽性を有する。
　
記載事項キ．
【図７】
　
　
　
図７には、反射防止層及び又は防眩層７上に、平坦化層６、金属薄膜からなるメッシュ５、透明なフィルム基材４、可視光
の特定の波長を吸収する吸収剤８が含有された接着剤
３、ガラス又はアクリル性の透明基板２、反射防止層及び又は防眩層１を順に積層した電磁波遮蔽用部材１０が記載されている。
　
記載事項ク．
【図８】
　
　
　
図８には、反射防止層及び又は防眩層７上に、可視光
の特定の波長を吸収する吸収剤８が含有された平坦化層１３、金属薄膜からなるメッシュ５、透明なフィルム基材４、接着剤
１２、ガラス又はアクリル性の透明基板２、反射防止層及び又は防眩層１を順に積層した電磁波遮蔽用部材２０が記載されている。
　
　記載事項ア．〜ク．の記載内容からして、引用例１には、
「反射防止層及び又は防眩層７上に、透明性が高い平坦化樹脂層６、金属薄膜からなるメッシュ５、透明なフィルム基材４、可視光の特定の波長を吸収する吸収剤８が含有されたアクリル樹脂を使用する接着剤３、ガラス又はアクリル性の透明基板２、反射防止層及び又は防眩層１を順に積層した、ディスプレイの表面に直接積層する電磁波遮蔽用部材１０、又は、
　反射防止層及び又は防眩層７上に、可視光の特定の波長を吸収する吸収剤８が含有された透明性の高い平坦化樹脂層１３、金属薄膜からなるメッシュ５、透明なフィルム基材４、アクリル樹脂を使用する接着剤１２、ガラス又はアクリル性の透明基板２、反射防止層及び又は防眩層１を順に積層した、ディスプレイの表面に直接積層する電磁波遮蔽用部材２０であって、
　可視光の特定の波長を吸収する吸収剤としてアニリンブラック系、カーボンブラック系の有機顔料、酸化クロム系の顔料を使用する電磁波遮蔽用部材。」
の発明（以下「引用発明１」という。）が記載されていると認められる。
　
（３）対比 
　本願補正発明と引用発明１を対比する。 
（ａ）引用発明１の「ディスプレイの表面に直接積層する電磁波遮蔽用部材１０」及び「ディスプレイの表面に直接積層する電磁波遮蔽用部材２０」は、本願補正発明の「ディスプレイの前面に設けられるディスプレイ用光学フィルター」に相当する。
　
（ｂ）引用発明１の「金属薄膜からなるメッシュ５」は、引用例1の記載事項イを参酌すると、電磁波シールド性を有するものといえるから、本願補正発明の「電磁波シールド層」に相当する。また、引用発明１の「アニリンブラック系、カーボンブラック系の有機顔料、酸化クロム系の顔料」は、いずれも黒色の顔料であり、本願補正発明の「アニリンブラック」、「カーボンブラック」、「酸化クロム」に相当するから、引用発明１の「可視光の特定の波長を吸収する吸収剤としてアニリンブラック系、カーボンブラック系の有機顔料、酸化クロム系の顔料を使用する」ことは、本願補正発明の「前記光吸収材は、カーボンブラック、黒鉛、アニリンブラック、シアニンブラック、チタンブラック、黒色酸化鉄、酸化クロム、酸化マンガンからなる群より選択される一種又は二種以上の黒色顔料からな」ることに相当する。
　
（ｃ）上記（ｂ）で述べたことに加えて、引用発明１の「アクリル樹脂を使用する接着剤３」、「透明性の高い平坦化樹脂層１３」は、何れも透明な樹脂からなる層といえるから、引用発明１の「可視光の特定の波長を吸収する吸収剤８が含有されたアクリル樹脂を使用する接着剤３」及び「可視光の特定の波長を吸収する吸収剤８が含有された透明性の高い平坦化樹脂層１３」は、本願補正発明の「黒色顔料からなる光吸収材が透明樹脂層中に分散されてなる光吸収材分散層」に相当するといえる。
　
（ｄ）引用発明１の「ディスプレイの表面に直接積層する電磁波遮蔽用部材１０」と「ディスプレイの表面に直接積層する電磁波遮蔽用部材２０」は、「反射防止層及び又は防眩層７」と「反射防止層及び又は防眩層１」の何れの側がディスプレイの表面に直接積層されるのかが明確でないが、少なくとも同じ側（【図７】、【図８】における「反射防止層及び又は防眩層７」側、又は「反射防止層及び又は防眩層１」側）がディスプレイの表面に直接積層されるものであることは自明なことである。
　そして、「反射防止層及び又は防眩層７」の側がディスプレイの表面に直接積層される場合には、「反射防止層及び又は防眩層１」が最外層となり、「電磁波遮蔽用部材１０」における「可視光の特定の波長を吸収する吸収剤８が含有された接着剤３」は最外層である「反射防止層及び又は防眩層１」と「金属薄膜からなるメッシュ５」の間に積層されることとなる。また、ディスプレイ表面で反射されて視覚側へ戻る光およびディスプレイからの出力光が「可視光の特定の波長を吸収する吸収剤８が含有された接着剤３」を通過することは自明なことである。そうすると、「反射防止層及び又は防眩層７」の側がディスプレイの表面に直接積層される場合には、引用発明１の「反射防止層及び又は防眩層７上に、透明性が高い平坦化樹脂層６、金属薄膜からなるメッシュ５、透明なフィルム基材４、可視光の特定の波長を吸収する吸収剤８が含有された接着剤３、ガラス又はアクリル性の透明基板２、反射防止層及び又は防眩層１を順に積層した、ディスプレイの表面に直接積層する電磁波遮蔽用部材１０」は、本願補正発明の「前記光吸収材分散層は、ディスプレイ用光学フィルターの視覚側の最外層と電磁波シールド層との間に積層され、視覚側へ戻る光およびディスプレイからの出力光が前記光吸収材分散層を通過すること」に相当する発明特定事項を備えているといえる。
　また、「反射防止層及び又は防眩層１」の側がディスプレイの表面に直接積層される場合には、「反射防止層及び又は防眩層７」が最外層となり、「電磁波遮蔽用部材２０」における「可視光の特定の波長を吸収する吸収剤８が含有された透明性の高い平坦化樹脂層１３」は最外層である「反射防止層及び又は防眩層７」と「金属薄膜からなるメッシュ５」の間に積層されることとなる。また、ディスプレイ表面で反射されて視覚側へ戻る光およびディスプレイからの出力光が「可視光の特定の波長を吸収する吸収剤８が含有された透明性の高い平坦化樹脂層１３」を通過することは自明なことである。そうすると、「反射防止層及び又は防眩層１」の側がディスプレイの表面に直接積層される場合には、引用発明１の「反射防止層及び又は防眩層７上に、可視光の特定の波長を吸収する吸収剤８が含有された透明性の高い平坦化樹脂層１３、金属薄膜からなるメッシュ５、透明なフィルム基材４、アクリル樹脂を使用する接着剤１２、ガラス又はアクリル性の透明基板２、反射防止層及び又は防眩層１を順に積層した、ディスプレイの表面に直接積層する電磁波遮蔽用部材２０」は、本願補正発明の「前記光吸収材分散層は、ディスプレイ用光学フィルターの視覚側の最外層と電磁波シールド層との間に積層され、視覚側へ戻る光およびディスプレイからの出力光が前記光吸収材分散層を通過すること」に相当する発明特定事項を備えているといえる。
　したがって、引用発明１において「反射防止層及び又は防眩層７」又は「反射防止層及び又は防眩層１」の何れの側がディスプレイの表面に直接積層される場合であっても、引用発明１は、本願補正発明の「前記光吸収材分散層は、ディスプレイ用光学フィルターの視覚側の最外層と電磁波シールド層との間に積層され、視覚側へ戻る光およびディスプレイからの出力光が前記光吸収材分散層を通過すること」に相当する発明特定事項を備えているといえる。
　
　上記（ａ）〜（ｄ）に記載したことからして、引用発明１と本願補正発明は、
「ディスプレイの前面に設けられるディスプレイ用光学フィルターにおいて、
　該フィルターの構成層中に、電磁波シールド層と、黒色顔料からなる光吸収材が透明樹脂層中に分散されてなる光吸収材分散層とを有し、
　前記光吸収材は、カーボンブラック、黒鉛、アニリンブラック、シアニンブラック、チタンブラック、黒色酸化鉄、酸化クロム、酸化マンガンからなる群より選択される一種又は二種以上の黒色顔料からなり、
　前記光吸収材分散層は、ディスプレイ用光学フィルターの視覚側の最外層と電磁波シールド層との間に積層され、視覚側へ戻る光およびディスプレイからの出力光が前記光吸収材分散層を通過するディスプレイ用光学フィルター。」である点で一致し、両者の間に相違点はない。
　
　よって、本願補正発明は、引用発明１であるから、特許法第２９条第１項第３号に規定する発明に該当し、特許出願の際独立して特許を受けることができない。
　
（４）むすび
　以上のとおり、本件補正は、特許法第１７条の２第５項において準用する同法第１２６条第５項の規定に違反するものであるから、同法第１５９条第１項において読み替えて準用する同法第５３条第１項の規定により却下すべきものである。
　
３．本願発明について
　平成２４年１月１１日付けの手続補正は上記のとおり却下されたので、本願の請求項１に係る発明は、平成２３年４月１日付けの手続補正により補正された特許請求の範囲の請求項１に記載された以下のとおりのものである。（以下同項記載の発明を「本願発明」という。）
　
「ディスプレイの前面に設けられるディスプレイ用光学フィルターにおいて、
　該フィルターの構成層中に、電磁波シールド層と、黒色顔料からなる光吸収材が透明樹脂層および／または透明粘着剤層中に分散されてなる光吸収材分散層とを有し、
　前記光吸収材は、カーボンブラック、黒鉛、アニリンブラック、シアニンブラック、チタンブラック、黒色酸化鉄、酸化クロム、酸化マンガンからなる群より選択される一種又は二種以上の黒色顔料からなることを特徴とするディスプレイ用光学フィルター。」
　
４．引用例 
　原査定の拒絶理由に引用された本願の出願前に頒布された刊行物である国際公開第２００５／０２２９７１号（以下「引用例２」という。）には、以下の技術事項が記載されている。（後述する引用発明２の認定に関連する箇所に下線を付した。）
　
記載事項ク．
「［００２２］（基本の構成）
　図１に示すように、本発明のプラズマディスプレイ用電磁シールドフィルム３０は、透明基材フィルム３１／必要に応じて接着層３３／金属層３５／平坦化樹脂層３９／粘着層４１からなる。すなわち
プラズマディスプレイ用電磁シールドフィルム３０は透明基材フィルム３１と、透明基板３１の一方の面に接着剤３３を介して設けられた金属層３５と、金属層３５上に順次設けられた平坦化樹脂層３９および粘着層４１とを備えている。
［００２３］
金属層３５は
透明基材フィルム３１側の面が黒化処理されて黒化処理層３７が形成されている。
　
記載事項ケ．
「［００２４］本発明の
プラズマディスプレイ用電磁波シールドフィルム３０は、
ＰＤＰの観察側に設置することで、プラズマディスプレイ用前面板となり、
　
記載事項コ．
「［００２７］（金属層）
　金属層３５の材料としては、電磁波をシールドする材料、例えば金、銀、銅、鉄、ニッケル、クロム、アルミニウムなど充分に電磁波をシールドできる程度の導電性を持つ金属が適用できる。……(略)……」
　
記載事項サ．
「［００３１］
黒化処理としては、
黒色顔料を添加した樹脂（塗料）の形成
の手法が適用できる。
　
記載事項シ．
［図１］
　
　
　記載事項ク〜シの記載内容からして、引用例２には、
「透明基材フィルム３１と、透明基材フィルム３１の一方の面に接着剤３３を介して設けられ、透明基材フィルム３１側の面が黒化処理されて黒化処理層３７が形成された金属層３５と、金属層３５上に順次設けられた平坦化樹脂層３９および粘着層４１とを備えている、プラズマディスプレイ（ＰＤＰ）の観察側に設置するプラズマディスプレイ用電磁シールドフィルム３０であって、黒化処理として、黒色顔料を添加した樹脂（塗料）の形成の手法を適用したプラズマディスプレイ用電磁シールドフィルム３０。」
の発明（以下「引用発明２」という。）が記載されていると認められる。
　
５．対比 
　本願発明と引用発明２を対比する。
（ａ）引用発明２の「プラズマディスプレイ（ＰＤＰ）の観察側に設置するプラズマディスプレイ用電磁シールドフィルム３０」は、本願発明の「ディスプレイの前面に設けられるディスプレイ用光学フィルター」に相当する。
　
（ｂ）引用発明２の「金属層３５」は、引用例２の記載事項コを参酌すると電磁波をシールドする材料からなるものであるから、本願発明の「電磁波シールド層」に相当する。引用発明２の「黒色顔料」は引用例２の記載事項サを参酌すると光吸収作用を有するものであるから、本願発明の「黒色顔料からなる光吸収材」に相当し、引用発明２の「黒色顔料を添加した樹脂（塗料）の形成の手法を適用した」「黒化処理」がされた「黒化処理層３７」と本願発明の「黒色顔料からなる光吸収材が透明樹脂層および／または透明粘着剤層中に分散されてなる光吸収材分散層」は、「黒色顔料からなる光吸収材が樹脂層中に分散されてなる光吸収材分散層」である点で共通する。
　
　上記（ａ）、（ｂ）に記載したことからして、本願発明と引用発明２との両者は、
「ディスプレイの前面に設けられるディスプレイ用光学フィルターにおいて、該フィルターの構成層中に、電磁波シールド層と、黒色顔料からなる光吸収材が樹脂層中に分散されてなる光吸収材分散層とを有するディスプレイ用光学フィルター。」
である点で一致し、次の相違点が存在する。
　
相違点（Ａ）
  本願発明は、黒色顔料からなる光吸収材が、カーボンブラック、黒鉛、アニリンブラック、シアニンブラック、チタンブラック、黒色酸化鉄、酸化クロム、酸化マンガンからなる群より選択される一種又は二種以上の黒色顔料からなるのに対して、引用発明２は、いかなる黒色顔料を用いるのかが不明である点。
　
相違点（Ｂ）
　本願発明は、黒色顔料からなる光吸収材が分散される樹脂層が、透明樹脂層であるのに対して、引用発明２は、黒色顔料を添加した樹脂（塗料）が透明であるのかどうかが不明である点。
　
６．当審の判断
　上記相違点について検討する。
　相違点（Ａ）について
　ディスプレイ用光学フィルターの分野において、光吸収材に用いる黒色顔料として、カーボンブラック、アニリンブラック、酸化クロムなどの黒色顔料を用いることは、例えば、特開２００２−３１１８４３号公報（【００１２】等参照）にも記載されているように周知技術であり、引用発明２の黒色顔料として上記周知の黒色顔料を採用し、上記相違点（Ａ）に係る本願発明の発明特定事項を得ることは当業者であれば容易になし得ることである。
　
　相違点（Ｂ）について
　ディスプレイ用光学フィルターの分野において、黒色顔料からなる光吸収材が分散される樹脂として、透明樹脂を用いることは、例えば、特開２００２−３１１８４３号公報（【００３０】等参照）にも記載されているように周知技術であり、引用発明２の黒色顔料を添加する樹脂として透明樹脂を採用し、上記相違点（Ｂ）に係る本願発明の発明特定事項を得ることは当業者であれば容易になし得ることである。
　
　また、本願発明の効果も、引用発明２及び上記周知技術から予測し得る範囲内のものであり、格別のものとは認め難い。
　
７．むすび
　以上のとおり、本願発明は、引用発明２及び周知技術に基いて当業者が容易に発明をすることができたものであるから、特許法第２９条第２項の規定により特許を受けることができない。
　よって、結論のとおり審決する。